(57)【要約】【課題】必要な気密性や密閉性を保持しながら、内容物をチャックに付着させることなく袋内に充填でき、充填後の密封や開封を容易に行うことができる直立タイプのチャック付き自立袋を提供する。【解決手段】一対の側面シート２，３の間の開口部側に仕切りシート５を介装する。仕切りシート５の下部と一方の側面シート２との間にチャック６を配置する。チャック６より上部側の仕切りシートと一方の側面シートとを接合する易剥離接合部７と、仕切りシート５の上部と他方の側面シートとを接合する難剥離接合部１０とを備える。難剥離接合部１０の下端部は易剥離接合部７の下端部より上方かつ易剥離接合部７の上端部より下方に、難剥離接合部１０の上端部は易剥離接合部７の上端部より上方にそれぞれ配置し、易剥離接合部７の上端部より上方の開口部に非接合部１１を設ける。【選択図】図１
2010241462.tif 000002
【特許請求の範囲】
【請求項１】
表面側を融点が高い非接着層、裏面側を融点が低い熱接着層とした複合フィルムで形成した一対の側面シートと、底面シートと、前記一対の側面シートの間の開口部側に介装した仕切りシートと、該仕切りシートの下部と一方の側面シートとの間に配置したチャックと、該チャックより上部側の仕切りシートと一方の側面シートとを接合する易剥離接合部と、前記仕切りシートの上部と他方の側面シートとを接合する難剥離接合部とを有し、前記易剥離接合部によって仕切りシートと一方の側面シートとを接合した状態で、前記難剥離接合部による接合前の仕切りシートと他方の側面シートとの間に充填用開口部が形成され、袋内に内容物を充填した後に仕切りシートと他方の側面シートとを難剥離接合部によって接合して前記充填用開口部を密封した状態で、仕切りシートと一方の側面シートとを接合した前記易剥離接合部が剥離することによって取出用開口部が形成され、易剥離接合部の剥離後は、前記チャックにより前記取出用開口部が開閉可能に密封されるチャック付き自立袋において、前記一方の側面シートの上部に、該一方の側面シートの上端部を前記仕切りシートの上端部よりも下方位置まで袋内面側に折り返すと共に、対向する熱接着層同士を接合して折返し部を形成し、該折返し部よりも下方に前記易剥離接合部の上端部が配置されることを特徴とするチャック付き自立袋。
【請求項２】
前記難剥離接合部の下端部は易剥離接合部の下端部より上方かつ易剥離接合部の上端部より下方に、難剥離接合部の上端部は易剥離接合部の上端部より上方にそれぞれ配置されることを特徴とする請求項１記載のチャック付き自立袋。
【請求項３】
前記一方の側面シートの上端と前記他方の側面シートの上端とのいずれか一方の上端を他方の上端より延出して開口上端に段差を設けたことを特徴とする請求項１又は２記載のチャック付き自立袋。
【請求項４】
前記一方の側面シートの上端と他方の側面シートの上端との少なくともいずれか一方の上端に玉縁を形成したことを特徴とする請求項１乃至３のいずれか１項記載のチャック付き自立袋。
【請求項５】
前記一対の側面シートと前記底面シートとが連続した１枚のシートにより形成され、底面部が内側に織り込まれていることを特徴とする請求項１乃至４のいずれか１項記載のチャック付き自立袋。
【請求項６】
前記シートは、融点の低い合成樹脂からなる袋内面層と、融点の高い合成樹脂からなる袋外面層とを有する積層シートであることを特徴とする請求項１乃至５のいずれか１項記載のチャック付き自立袋。
【請求項７】
前記一方の側面シートの上端部と他方の側面シートの上端部との少なくともいずれか一方の上端部に形状保持部材を設けたことを特徴とする請求項１乃至６のいずれか１項記載のチャック付き自立袋。
【請求項８】
前記形状保持部材は、ポリオレフィン系樹脂を主材料とする形状保持テープであることを特徴とする請求項７記載のチャック付き自立袋。
【発明の詳細な説明】
【技術分野】
【０００１】
本発明は、チャック付き自立袋に関し、詳しくは、袋の開口部に充填用開口と取出用開口とを設けたチャック付き自立袋に関する。
【背景技術】
【０００２】
チャック付き自立袋は、底部が閉じた構造となっていることから、内容物はチャックを備えた開口部側から充填しなければならなかった。しかし、チャックを備えた開口部から内容物を充填すると、内容物がチャックに付着してチャックが目詰まりする虞があることから、袋を構成する一方のシートの内面に雌型のチャックを接合させ、雌型のチャックに延設部を一体に形成し、該延設部の表面に設けたホットメルト型接着樹脂部分を一方の内面に易剥離可能に接合させ、延設部の裏面と他方のシートとの間から内容物を充填した後に、延設部の裏面と他方のシートとをヒートシールして接合させると共に、双方のシートの開口端部をヒートシールして閉塞したものがあった（例えば、特許文献１参照。）。
【０００３】
また、チャック付き自立袋として、一対の側面シートの間に仕切りシートを介装し、該仕切りシートと一方の側面シートとの間にチャックと易剥離接合部とを形成し、仕切りシートの上端と他方の側面シートの上端とを難剥離接合するものがあった（例えば、特許文献２参照。）。
【先行技術文献】
【特許文献】
【０００４】
【特許文献１】特開２００５−６７７１２号公報
【特許文献２】特許第３０２０８３４号公報
【発明の概要】
【発明が解決しようとする課題】
【０００５】
しかし、上述の特許文献１の袋では、袋の開口端部をヒートシールしているため、開封に際しては、チャック上部のヒートシール部を切り取る必要があった。切り取る部分にノッチやミシン目を入れて簡単に切り離せるように形成されていても、非力な子供や老人には開封が困難なことがあり、鋏やナイフを必要とするといった問題がある。さらに、切り離した部分がその時点でゴミとなるという問題もある。
【０００６】
また、特許文献２の袋では、袋の開口端部をヒートシールせず、一方の側面シートの上部と他方の側面シートの上部との間には非接合部が形成されることから、該非接合に指を挿入して両側面シートの上端部を掴み、両側面シートを引き離すことができるようにしているものの、汎用の自動充填機等によって、袋内に内容物を充填した後に仕切りシートと他方の側面シートとを難剥離接合部によって接合する際に、ヒートシールする位置が設定された位置からずれると、一方の側面シートの上部裏面側の熱接着層が、仕切シートや他方の側面シートとヒートシールされてしまい非接合部を形成することができず、開封困難となる虞があった。
【０００７】
そこで本発明は、必要な気密性や密閉性を保持しながら、内容物をチャックに付着させることなく袋内に充填でき、充填後の密封や開封を容易に行うことができる直立タイプのチャック付き自立袋を提供することを目的としている。
【課題を解決するための手段】
【０００８】
上記目的を達成するため、本発明のチャック付き自立袋は、表面側を融点が高い非接着層、裏面側を融点が低い熱接着層とした複合フィルムで形成した一対の側面シートと、底面シートと、前記一対の側面シートの間の開口部側に介装した仕切りシートと、該仕切りシートの下部と一方の側面シートとの間に配置したチャックと、該チャックより上部側の仕切りシートと一方の側面シートとを接合する易剥離接合部と、前記仕切りシートの上部と他方の側面シートとを接合する難剥離接合部とを有し、前記易剥離接合部によって仕切りシートと一方の側面シートとを接合した状態で、前記難剥離接合部による接合前の仕切りシートと他方の側面シートとの間に充填用開口部が形成され、袋内に内容物を充填した後に仕切りシートと他方の側面シートとを難剥離接合部によって接合して前記充填用開口部を密封した状態で、仕切りシートと一方の側面シートとを接合した前記易剥離接合部が剥離することによって取出用開口部が形成され、易剥離接合部の剥離後は、前記チャックにより前記取出用開口部が開閉可能に密封されるチャック付き自立袋において、前記一方の側面シートの上部に、該一方の側面シートの上端部を前記仕切りシートの上端部よりも下方位置まで袋内面側に折り返すと共に、対向する熱接着層同士を接合して折返し部を形成し、該折返し部よりも下方に前記易剥離接合部の上端部が配置されることを特徴としている。
【０００９】
また、前記難剥離接合部の下端部を易剥離接合部の下端部より上方かつ易剥離接合部の上端部より下方に、難剥離接合部の上端部を易剥離接合部の上端部より上方にそれぞれ配置しても良く、前記一方の側面シートの上端と前記他方の側面シートの上端とのいずれか一方の上端を他方の上端より延出して開口上端に段差を設けることもでき、さらに、前記一方の側面シートの上端と他方の側面シートの上端との少なくともいずれか一方の上端に玉縁を形成しても良い。また、前記一対の側面シートと前記底面シートとが連続した１枚のシートにより形成され、底面部が内側に織り込まれているものでも良く、前記シートは、融点の低い合成樹脂からなる袋内面層と、融点の高い合成樹脂からなる袋外面層とを有する積層シートとすることもできる。さらに、前記一方の側面シートの上端部と他方の側面シートの上端部との少なくともいずれか一方の上端部に形状保持部材を設けると好適であり、前記形状保持部材を、ポリオレフィン系樹脂を主材料とする形状保持テープで形成することもできる。
【発明の効果】
【００１０】
本発明のチャック付き自立袋によれば、一方の側面シートの上端部を折り返すことにより、一方の側面シートの上部内側面を非接着層とすることができる。これにより、汎用の自動充填機等によって、袋内に内容物を充填した後に仕切りシートと他方の側面シートとを難剥離接合部によって接合する際に、ヒートシールする位置が設定された位置からずれることがあっても、前記非接着層により、袋の上部に非接合部を確実に形成することができる。さらに、前記一方の側面シートの折り返し端部は、前記仕切りシートの上端部よりも下方位置に配置され、前記折り返し端部よりも下方に前記易剥離接合部の上端部が配置されていることから、袋の開封時には、一方の側面シートの開口端部と他方の側面シートの開口端部とを掴んで開くことにより、一方の側面シートと仕切りシートとの間の易剥離接合部が容易に剥離して内容物取出用の開口部を簡単に開口させることができる。したがって、チャックの上部を切り取る必要もなく、袋を容易に開封でき、切り屑等のゴミが発生することもなく、また、内容物をチャックに付着させることなく袋内に充填させることができる。特に、易剥離接合部に対する難剥離接合部の位置関係を難剥離接合部が上方の開口側とすることにより、充填後の内容物から生じる袋内部側からの物理的な力や内圧によって袋の内部側から易剥離接合部が剥離する虞がなく、袋外部側からの物理的な力、即ち取出用開口部を開口させようとする力に対しては、難剥離接合部を剥離させることなく易剥離接合部を容易に剥離させることができる。
【図面の簡単な説明】
【００１１】
【図１】本発明の第１形態例を示すチャック付き自立袋の内容物充填前の断面図である。
【図２】同じく内容物を充填する際のチャック付き自立袋の断面図である。
【図３】同じく内容物充填後のチャック付き自立袋の断面図である。
【図４】同じく内容物を取り出す際のチャック付き自立袋の断面図である。
【図５】同じくチャックにて再封する際のチャック付き自立袋の断面図である。
【図６】同じくチャック付き自立袋の正面図である。
【図７】本発明の第２形態例を示すチャック付き自立袋の断面図である。
【図８】同じく内容物を取り出す際のチャック付き自立袋の説明図である。
【図９】本発明の第３形態例を示すチャック付き自立袋の断面図である。
【発明を実施するための形態】
【００１２】
図１乃至図６は本発明のチャック付き自立袋の第１形態例を示す図である。本形態例に示すチャック付き自立袋１は、底部にまちを備えた直立タイプの袋であって、一対の側面シート２，３と、側面シート２，３の下端部に設けられてまち付きの底部となる底面シート４と、一対の側面シート２，３の間の開口部側に介装される仕切りシート５とを備えると共に、該仕切りシート５の下端部と一方の側面シート２との間に設けられたチャック６を備えている。
【００１３】
前記側面シート２，３及び底面シート４は、融点の異なる表面層２ａ，３ａ，４ａと裏面層２ｂ，３ｂ，４ｂとをそれぞれ備えた複層合成樹脂フィルム（シート）で形成され、例えば表面層２ａ，３ａ，４ａは融点が高いナイロンフィルムからなる非接着層で、裏面層２ｂ，３ｂ，４ｂは融点が低いポリエチレンフィルムからなる熱接着層でそれぞれ形成される。仕切りシート５は、イージーピール樹脂層５ａと熱接着樹脂層５ｂとを備えた複層合成樹脂フィルム（シート）で形成され、イージーピール樹脂層５ａを一方の側面シート２の裏面層２ｂに対向させて配置される。仕切りシート５のイージーピール樹脂層５ａの下端部と、これに対向する一方の側面シート２の裏面層２ｂとには、チャック６を構成する雌型のチャック部材６ａと雄型のチャック部材６ｂとがチャック付き自立袋１の幅方向にそれぞれ難剥離状態でそれぞれ接合されている。
【００１４】
また、一方の側面シート２の上端部は袋内面側に折り返されており、裏面層２ｂ同士がヒートシールされて難剥離状態で接合して折返し部２ｃが形成され、この折返し部２ｃによって、一方の側面シート２の上部内側面を表面層２ａ（非接着層）とし、さらに折返し部２ｃの折り返し端部２ｄは、仕切りシート５の上端部よりも下方位置に配置されている。
【００１５】
図１に示すように、内容物充填前の状態において、各シート２，３，４は、側面シート２，３の裏面層２ｂ，３ｂの下端部と底面シート４との裏面層４ｂの側縁とがヒートシールによりそれぞれ難剥離状態で接合され、側面シート２，３の裏面層２ｂ，３ｂの側縁部同士がそれぞれ難剥離状態で接合されて袋状に形成されるとともに、仕切りシート５のイージーピール樹脂層５ａと一方の側面シート２の裏面層２ｂとが前記チャック６よりも上方で、且つ、折返し部２ｃの折り返し端部２ｄよりも下方となる位置に易剥離状態で接合され、易剥離接合部７となっている。一方、他方の側面シート３と仕切りシート５とは、内容物充填前は未接合の状態で、内容物充填用開口部８を形成している。
【００１６】
図２に示すように、袋内に内容物９を充填する際には、他方の側面シート３と仕切りシート５との間の内容物充填用開口部８を拡げた状態で行われ、所定量の内容物９を袋内に充填した後、図３に示すように、仕切りシート５の熱接着樹脂層５ｂの上半部と、これに対向する他方の側面シート３の裏面層３ｂとがヒートシールされて難剥離状態で接合され、内容物充填用開口部８を閉塞する難剥離接合部１０となることにより、内容物９を充填して封緘状態となったチャック付き自立袋１が形成される。
【００１７】
このとき、難剥離接合部１０の下端部１０ａは、易剥離接合部７の下端部7ａより上方で、かつ、易剥離接合部７の上端部７ｂより下方に配置され、難剥離接合部１０の上端部１０ｂは易剥離接合部７の上端部７ｂより上方で、仕切りシート５の上縁と同一に配置される。また、折返し部２ｃは、他方の側面シート３の裏面層３ｂ及び仕切りシート５のイージーピール樹脂層５ａ上部に対向する面が一方の側面シート２の表面層２ａであることから、これらはヒートシールされずに易剥離接合部７より上方の自立袋１の開口端部に非接合部１１が形成される。
【００１８】
このように、開口部が易剥離接合部７と難剥離接合部１０とによって封緘された袋を開口する際に、一方の側面シート２の上部と他方の側面シート３の上部との間に形成されている非接合部１１に指を挿入した状態で両側面シート２，３の上端部を掴み、両側面シート２，３を引き離すと、図４に示すように、易剥離接合部７にて接合された仕切りシート５と一方の側面シート２とが剥離し、仕切りシート５と一方の側面シート２との間に内容物取出用開口部１２が形成され、該内容物取出用開口部１２から内容物９を取り出すことができる。このとき、仕切りシート５と他方の側面シート３とは難剥離接合部１０によって完全に接合された状態になっているので、仕切りシート５と他方の側面シート３とが剥離することはない。内容物取出用開口部１２から必要な分量の内容物を取り出した後は、図５に示すように、チャック６によって内容物取出用開口部１２を開閉可能な状態で密封することができる。
【００１９】
上述のように形成された本形態例のチャック付き自立袋１によれば、内容物充填後は易剥離接合部７と難剥離接合部１０とによって必要な密閉性が確保されると共に、開封の際には、従来のようにチャック付き自立袋１の上端部を鋏で切ったり、予め設けられた切り取り線から切り取ったりする必要がなく、一方の側面シート２の上部と他方の側面シート３の上部とを掴んで開くだけで、易剥離接合部７が剥離して内容物取出用開口部１２が形成されることから、開封時にゴミが生じることはなく、また、開口端に非接合部１１を設けているので、開口部の部分を掴み易くなることから、非力な子供や老人であっても容易に開封することができる。
【００２０】
さらに、非接合部１１は、一方の側面シートの上端部の折り返し構造により形成されることから、コストが嵩む虞がなく、また、自動充填機等によって、袋内に内容物を充填した後に仕切りシートと他方の側面シートとを難剥離接合部によって接合する際に、ヒートシールする位置が設定された位置からずれることがあっても、前記非接着層により、袋の上部に非接合部を確実に形成することができることから、歩留まりを良くすることができる。さらに、折返し部２ｃの折り返し端部２ｄは、仕切りシート５の上端部よりも下方位置に配置され、折り返し端部２ｄよりも下方に易剥離接合部７の上端部７ｂが配置されていることから、袋の開封時には、一方の側面シートの開口端部と他方の側面シートの開口端部とを掴んで開くことにより、一方の側面シートと仕切りシートとの間の易剥離接合部が容易に剥離して内容物取出用の開口部を簡単に開口させることができる。さらに、折返し部２ｃを形成することにより、この部分が指先で掴みやすくなり、開封性をさらに向上できる。加えて、他方の側面シート３の上端に玉縁３ｃを形成しておくことにより、他方の側面シート３の上端部も掴みやすくなるので、チャック付き自立袋１の開封性をより一層向上させることができる。
【００２１】
また、チャック付き自立袋１の開口部を仕切りシート５によって、内容物充填用開口部８と内容物取出用開口部１２と分けたことから、内容物９の充填時にチャック６に内容物９が付着することを回避でき、開封後にチャック６を良好に使用することができ、見栄えも良い。また、内容物９を充填する際にチャック６の開閉工程が不要となることから、内容物９を充填する工程を合理化でき、スピードアップを図ることができる。また、従来の自動充填機を利用して、内容物９をチャック付き自立袋１に充填することもでき、コストの削減を図ることもできる。
【００２２】
さらに、易剥離接合部７の下端部７ａよりも上方に難剥離接合部１０の下端部１０ａが配置されると共に、易剥離接合部７の上端部７ｂよりも上方に、難剥離接合部１０の上端部１０ｂが配置され、仕切りシート５を挟んで易剥離接合部７と難剥離接合部１０とに段差があることから、内容物９が充填されたチャック付き自立袋１を段ボールなどに横詰めして輸送する際に袋内部側から物理的な力や内圧が易剥離接合部７及び難剥離接合部１０に加わった場合、これらの袋内部側からの力は難剥離接合部１０の下端部１０ａに集中するため、袋の内部側から易剥離接合部７が剥離する虞がない。一方、袋を開口する際には、難剥離接合部１０の上端部１０ｂより下方に易剥離接合部７の上端部７ｂが位置していることから、開口させる際の力は易剥離接合部７の上端部７ｂに集中するため、易剥離接合部７を容易に剥離させることができる。
【００２３】
図７乃至図９は、本発明の他の形態例を示すもので、第１形態例と同様の構成要素を示すものには、同一の符号を付して、その詳細な説明は省略する。
【００２４】
図７及び図８に示す本発明の第２形態例のチャック付き自立袋２１は、仕切りシート５の熱接着樹脂層５ｂに形状保持テープ２２を袋幅方向に熱融着している。この形状保持テープ２２は、適度な柔軟性を有するとともに形状保持性を有する部材により形成されたもので、例えば、ポリエチレンを主材料とし、一軸方向に分子配列されたテープ状のものを用いることができる。このような形状保持テープ２２を開口部に設けることにより、図８に示すように、チャック付き自立袋２１から内容物９を取り出す際に、形状保持テープ２２を備えた部分をＶ字状に保つことができ、Ｖ字状に開いた側面シート３に沿って内容物９を少しずつ取り出すことができ、内容物９が散らばることなく、必要な分量だけを良好に取り出すことができる。
【００２５】
図９に示す本発明の第３形態例のチャック付き自立袋３１は、一方の側面シート２の上端部よりも他方の側面シート３の上端部を上方に突出させて段差を設け、一方の側面シート２の上端部を内側に折り返して折返し部２ｃを形成すると共に、他方の側面シート３の上端部に玉縁３ｃを形成している。さらに、他方の側面シート３の上方に突出した部分に通孔３ｄを形成し、内容物９を充填したチャック付き自立袋３１を吊り下げて陳列できるようにしている。また、本形態例では、形状保持テープ３２を、一方の側面シート２の上端部に設けた折返し部２ｃ内に内包させている。
【００２６】
これにより、商品を直立させて陳列するほかに、吊り下げて陳列できるようになり、また、一方の側面シート２の上端部に折返し部２ｃが形成され、他方の側面シート３の上端部に玉縁３ｃが形成されているので、側面シート上端部の補強が図れ、また、一方の側面シート２の上端部よりも他方の側面シート３の上端部を上方に突出させて段差を設けていることから、側面シート２，３の上部を掴みやすい。
【００２７】
尚、本発明は上述の各形態例のように、仕切りシートに雄型のチャック部材を、一方の側面シートに雌側のチャック部材をそれぞれ接合されるものに限らず、仕切りシートに雌型のチャック部材を、一方の側面シートに雄型のチャック部材をそれぞれ接合するものでも良い。また、側面シートと仕切りシートとは、ポリエチレンフィルムとナイロンフィルムを積層したものに限らず、融点の異なる表面層と裏面層とを備えていれば良く、ポリプロピレンやポリエステルや塩化ビニルやビニロン等の樹脂を用いることもでき、アルミ箔を積層したものであってもよい。
【符号の説明】
【００２８】
１…チャック付き自立袋、２，３…側面シート、４…底面シート、２ａ，３ａ，４ａ…表面層、２ｂ，３ｂ，４ｂ…裏面層、２ｃ…折返し部、２ｄ…折り返し端部、５…仕切りシート、５ａ…イージーピール樹脂層、５ｂ…熱接着樹脂層、６…チャック、６ａ，６ｂ…チャック部材、７…易剥離接合部、８…内容物充填用開口部、９…内容物、１０…難剥離接合部、７ａ，１０ａ…下端部、７ｂ，１０ｂ…上端部、１１…被接合部、１２…内容物取出用開口部、２１，３１…チャック付き自立袋、２２，３２…形状保持テープ
【図１】
2010241462.tif 000003
【図２】
2010241462.tif 000004
【図３】
2010241462.tif 000005
【図４】
2010241462.tif 000006
【図５】
2010241462.tif 000007
【図６】
2010241462.tif 000008
【図７】
2010241462.tif 000009
【図８】
2010241462.tif 000010
【図９】
2010241462.tif 000011